(57)【要約】  リモコン（１０）は、省電力フラグ（１２２）がオンであると判定すると、即ち、リモコン（１０）が省電力動作であると判定すると、描画部（１０７）が読み出す画像情報を、少量画像記憶部（１１０）に記憶されたモノクロ画像に決定する。このモノクロ画像は、通常画像記憶部（１０９）に記憶されるカラー画像と比べて、情報量が８分の１である。従って、リモコン（１０）が省電力動作である場合、描画部（１０７）は、少量画像記憶部（１１０）に記憶されたモノクロ画像を、通常画像記憶部（１０９）に記憶されたカラー画像を読み出す場合と比較して、少ない電力で読み出すことができる。従って、リモコン（１０）では、リモコン（１０）が省電力動作である場合、消費される電力を抑制することができる。
2013111337.tif 000002
【特許請求の範囲】
【請求項１】
制御対象機器を制御するための操作を受け付け、前記受け付けた操作に応じた制御情報を前記制御対象機器に送信する制御装置であって、
制御用画面を表示する表示部と、
前記表示部に表示される制御用画面を形成する画像要素の画像情報である第１画像情報を記憶する情報記憶部と、
前記画像要素の画像情報であり、且つ、前記情報記憶部に記憶された画像情報よりも情報量の少ない第２画像情報を記憶する少量情報記憶部と、
この制御装置の動作モードを、所定の消費電力で動作する第１動作モードと、前記第１動作モードよりも消費電力の少ない第２動作モードとの何れかに設定する動作モード設定部と、
前記動作モード設定部が第１動作モードを設定したときに、前記情報記憶部に記憶されている第１画像情報を読み出して複数の画像要素から構成される制御用画面を生成し、前記動作モード設定部が第２動作モードを設定したときに、前記少量情報記憶部に記憶されている第２画像情報を読み出して複数の画像要素から構成される制御用画面を生成し、生成した制御用画面を前記表示部に表示する画面生成部と、
を備える制御装置。
【請求項２】
前記動作モード設定部が前記第１動作モードと第２動作モードとの一方を他方に切り換える設定を行ったときに、前記画面生成部は、切り換え直前に前記表示部に表示されていた制御用画面を構成する画像要素に対応する画像情報であって、切り換え後の動作モードに対応するものを読み出して制御用画面を生成し、前記表示部に表示する、
請求項１に記載の制御装置。
【請求項３】
前記動作モード設定部が前記第１動作モードから前記第２動作モードに切り換える設定を行ったときに、前記情報記憶部に供給されている電力を遮断する一方、遮断されていた前記少量情報記憶部への前記電力の供給を開始する電源制御部、
を備える請求項１または２に記載の制御装置。
【請求項４】
前記動作モード設定部は、
前記制御装置で消費される電力を供給する蓄電池の出力電圧を検出し、前記検出した出力電圧と所定値とを比較することで、前記所定値未満の前記出力電圧を検出した場合に、前記第１動作モードから前記第２動作モードに切り換える設定を行う、
請求項１から３のいずれか一項に記載の制御装置。
【請求項５】
前記制御装置の前記動作モードの変更を行うコマンドを前記制御対象機器から受信する通信部を備え、
前記動作モード設定部は、
前記通信部が前記第１動作モードから前記第２動作モードへの変更を行うコマンドを受信した場合に、前記動作モードを前記第１動作モードから前記第２動作モードに切り換える設定を行う、
請求項１から３のいずれか一項に記載の制御装置。
【請求項６】
前記少量情報記憶部は、
前記情報記憶部の記憶容量よりも、少ない記憶容量である、
請求項１から５のいずれか一項に記載の制御装置。
【請求項７】
制御用画面を表示する表示部を有し、制御対象機器を制御するための操作を受け付け、前記受け付けた操作に応じた制御情報を前記制御対象機器に送信する制御装置が、動作モードを、所定の消費電力で動作する第１動作モードと、前記第１動作モードよりも消費電力の少ない第２動作モードとの何れかに設定する動作モード設定ステップと、
前記制御装置が、前記動作モード設定ステップにより第１動作モードが設定されたときに、制御用画面を形成する画像要素の画像情報である第１画像情報を読み出して前記制御用画面を生成し、前記動作モード設定ステップにより第２動作モードが設定されたときに、前記画面要素の画像情報であり、且つ、前記第１画像情報よりも情報量の少ない第２画像情報を読み出して前記制御用画面を生成し、生成した制御用画面を前記表示部に表示する画面生成ステップと、
を備える制御方法。
【請求項８】
制御用画面を表示する表示部を有し、制御対象機器を制御するための操作を受け付け、前記受け付けた操作に応じた制御情報を制御対象機器に送信する制御装置を制御するコンピュータに、
この制御装置の動作モードを、所定の消費電力で動作する第１動作モードと、前記第１動作モードよりも消費電力の少ない第２動作モードとの何れかの動作モードに設定する動作モード設定機能、
前記動作モード設定機能により第１動作モードが設定されたときに、制御用画面を形成する画像要素の画像情報である第１画像情報を読み出して前記制御用画面を生成し、前記動作モード設定機能により第２動作モードが設定されたときに、前記画像要素の画像情報であり、且つ、前記第１画像情報よりも情報量の少ない第２画像情報を読み出して前記制御用画面を生成し、生成した制御用画面を前記表示部に表示する画面生成機能、
を実現させるプログラム。
【発明の詳細な説明】
【技術分野】
【０００１】
本発明は、制御装置、制御方法およびプログラムに関する。
【背景技術】
【０００２】
操作の対象となる機器を操作する制御装置で消費される電力を抑制する技術として、特許文献１に記載のリモコン装置がある。【０００３】
特許文献１に記載のリモコン装置は、ユーザによって設定された時間内に、ユーザによる操作が行われなかった場合に、表示部の表示面を照らす蛍光表示管を消灯することにより、消費電力を抑制している。
【先行技術文献】
【特許文献】
【０００４】
【特許文献１】特開２００６−３４９２１９号公報
【発明の概要】
【発明が解決しようとする課題】
【０００５】
ここで、特許文献１に記載のリモコン装置を、例えばエアコン用のリモコン装置に応用する場合、エアコンの温度設定等の操作を、設定された時間内に繰り返し行った場合、蛍光表示管の消灯が行われない。つまり、この場合、特許文献１に記載のリモコン装置では、蛍光表示管の点灯が維持される。よって、特許文献１に記載のリモコン装置では、操作が行われると、消費される電力の抑制が行われない場合があるという問題点があった。【０００６】
本発明は、上記実情に鑑みてなされたものであり、操作の有無に影響されることなく、消費される電力を抑制できる制御装置、制御方法およびプログラムを提供することを目的とする。
【課題を解決するための手段】
【０００７】
上記目的を達成するために、この発明に係る制御装置は、制御対象機器を制御するための操作を受け付け、受け付けた操作に応じた制御情報を制御対象機器に送信する。表示部は、制御用画面を表示する。情報記憶部は、表示部に表示される制御用画面を形成する画像要素の画像情報である第１画像情報を記憶する。少量情報記憶部は、画像要素の画像情報であり、且つ、情報記憶部に記憶された画像情報よりも情報量の少ない第２画像情報を記憶する。動作モード設定部は、この制御装置の動作モードを、所定の消費電力で動作する第１動作モードと、第１動作モードよりも消費電力の少ない第２動作モードとの何れかに設定する。画面生成部は、動作モード設定部が第１動作モードを設定したときに、情報記憶部に記憶されている第１画像情報を読み出して複数の画像要素から構成される制御用画面を生成し、動作モード設定部が第２動作モードを設定したときに、少量情報記憶部に記憶されている第２画像情報を読み出して複数の画像要素から構成される制御用画面を生成し、生成した制御用画面を表示部に表示する。
【発明の効果】
【０００８】
本発明によれば、第２動作モードとなった場合、画像情報の読み出し時に消費される電力を第１動作モードの場合と比較して、抑制することができる。従って、本発明によれば、操作の有無に影響されることなく、消費される電力を抑制できる。
【図面の簡単な説明】
【０００９】
【図１】本発明の第１の実施形態に係るエアコンシステムのブロック図である。
【図２】蓄電池における出力電圧と残量との関係を示す図である。
【図３】蓄電池、通常画像記憶部および少量画像記憶部の接続を示す図である。
【図４】（ａ）は、通常画像記憶部に記憶されたカラー画像情報を用いたＬＣＤの表示であり、（ｂ）は、少量画像記憶部に記憶されたモノクロ画像情報を用いたＬＣＤの表示である。
【図５】省電力設定処理を示すフローチャートである。
【図６】画面生成処理を示すフローチャートである。
【図７】通電切換処理を示すフローチャートである。
【図８】本発明の第２の実施形態に係るエアコンシステムのブロック図である。
【図９】電源部、通常画像記憶部および少量画像記憶部の接続を示す図である。
【図１０】電力処理を示すフローチャートである。
【図１１】第２の実施形態に係るエアコンシステムの省電力設定処理を示すフローチャートである。
【発明を実施するための形態】
【００１０】
（第１の実施形態）
以下、本発明の第１の実施形態に係るエアコンシステム１を、図１〜７を参照して説明する。
【００１１】
エアコンシステム１は、リモコン１０と、エアコン２０と、を備えている。
【００１２】
リモコン１０は、エアコン２０を制御するための操作を受け付け、受け付けた操作に応じた指令（制御情報）をエアコン２０に送信するリモートコントローラ（制御装置）である。リモコン１０は、具体的には、エアコン２０の動作（冷房、送風或いは暖房）やエアコン２０の設定温度の変更等の指令を、エアコン２０へ送信する。リモコン１０は、蓄電池１０１と、Ａ／Ｄコンバータ１０２と、制御部１０３と、通常画像記憶部１０９と、少量画像記憶部１１０と、画面構成情報部１１１と、ＲＡＭ（Random Access Memory）１２０（操作情報保持部１２１、省電力フラグ１２２およびＶＲＡＭ（Video RAM）１２３）と、ＲＯＭ（Read Only memory）１２５と、入力部１３０と、ＬＣＤコントローラ１３１と、ＬＣＤ１３２と、通信部１３３と、を備えている。
【００１３】
蓄電池１０１は、リモコン１０で消費される直流電力を出力する。具体的には、蓄電池１０１は、リモコン１０の各部１０２〜１３３で消費される直流電力を供給する。蓄電池１０１は、一次電池でも、二次電池でもどちらでもよい。
【００１４】
Ａ／Ｄ（Analog／Digital）コンバータ１０２は、蓄電池１０１の出力電圧（アナログ値）をデジタル値へ変換し、そのデジタル値を、バスラインＢＬを介して、制御部１０３へ出力するコンバータである。
【００１５】
制御部１０３は、ＲＯＭ１２５に格納されたプログラム（例えば、後述する図５〜７に示す処理を実現するプログラム）を実行することによりリモコン１０の制御を行う。
【００１６】
また、制御部１０３がＲＯＭ１２５に格納されたプログラムを実行することにより、制御部１０３は、電池残量検出部１０４と、イベント管理部１０５と、画面生成部１０６と、描画部１０７と、電源制御部１０８と、の機能を実現する。
【００１７】
電池残量検出部１０４は、Ａ／Ｄコンバータ１０２から出力された蓄電池１０１の出力電圧（デジタル値）と、予め定められた閾値とを比較し、蓄電池１０１の出力電圧が閾値未満となっていないかを判定する。これにより、電池残量検出部１０４は、蓄電池１０１の残りのエネルギーを検出している。なお、以後、蓄電池１０１の残りのエネルギーを、「残量」と称する。
【００１８】
蓄電池１０１における出力電圧と残量との関係は、図２に示す通りとなる。即ち、電池１０１の出力電圧が低くなるに連れて、蓄電池１０１の残量も減少する関係となる。電池残量検出部１０４は、検出した蓄電池１０１の出力電圧が閾値未満となっていることを検出することで、間接的に、蓄電池１０１の残量が所定量未満であることを検出している。
【００１９】
電池残量検出部１０４は、蓄電池１０１の出力電圧が閾値未満であると判定すると、省電力フラグ１２２をオンにし、リモコン１０の動作モードを、通常動作から、通常動作より消費電力の少ない省電力動作に変更する。なお、電池残量検出部１０４は、既に省電力フラグ１２２がオンとなっている場合は、蓄電池１０１の出力電圧と閾値との比較結果によらず、省電力フラグ１２２のオン状態を維持する。
【００２０】
イベント管理部１０５は、ユーザによる入力部１３０の操作が行われると、その操作に応じた処理を実行する。具体的には、イベント管理部１０５は、ＬＣＤ１３２の表示内容（以後、「画面」と記載する）の変更を必要とするような入力部１３０の操作があると、操作内容と変更後の画面番号を、ＲＯＭ１２５に記憶されたテーブルを参照して抽出する。ここで、画面番号は、画面を識別するために画面の種類ごとにユニークに割り当てた番号である。例えば、イベント管理部１０５は、エアコン２０を設置した部屋の形状（縦長か横長か）を設定する操作がユーザにより行われると、テーブルを参照して、部屋の形状の設定画面に対応する画面番号を特定する。また、例えば、イベント管理部１０５は、エアコン２０の内部の掃除に関する設定の操作がユーザにより行われると、テーブルを参照して、掃除に関する設定画面に対応する画面番号を特定する。イベント管理部１０５で特定された画面番号は、画面生成部１０６で使用される。
【００２１】
また、イベント管理部１０５は、入力部１３０のユーザによる操作によって、エアコン２０の動作や設定等に変更が生じた場合、変更後の動作や設定等を、ＲＡＭ１２０内の操作情報保持部１２１に記憶させる。操作情報保持部１２１に記憶される動作や設定等を、以後、「操作情報」と称する。操作情報は、具体的には、例えば、エアコン２０の動作状態（冷房、送風、暖房）やエアコン２０の設定温度等といったエアコン２０の操作状態を示す情報である。
【００２２】
また、イベント管理部１０５は、省電力動作への移行を指示する操作がユーザにより入力部１３０で行われると、省電力フラグ１２２をオンにし、リモコン１０の動作状態を省電力動作に切り換える。また、イベント管理部１０５は、通常動作への移行の操作が入力部１３０を介してユーザにより行われると、省電力フラグ１２２をオフにし、リモコン１０の動作状態を通常動作に切り換える。この通常動作へのユーザによる切り換え操作は、電池残量検出部１０４が蓄電池１０１の出力電圧を閾値以上と判定している状態では（蓄電池１０１の残量を所定量以上と検出している状態では）、有効であるが、電池残量検出部１０４が蓄電池１０１の出力電圧を閾値未満と判定している状態では（蓄電池１０１の残量を所定量未満と検出している状態では）、無効となる。
【００２３】
画面生成部１０６は、イベント管理部１０５が抽出した画面番号に対応する画面構成情報を、画面構成情報記憶部１１１から取得する。そして、画面生成部１０６は、取得した画面構成情報に基づいて、画面に使用する情報（画像および操作情報）を決定すると共に、画面の構成（ＬＣＤ１３２の表示面内のどこの領域に、どの画像や操作情報を配置するか）を決定する。
【００２４】
前述の画面構成情報は、画面を構成する画像の表示に関する情報を含んでおり、画像を配置するＬＣＤ１３２の表示面内の領域を指定する表示座標、通常動作時に表示する画像を特定する通常画像特定情報および省電力動作時に表示する画像を特定する省電力画像特定情報から構成される。通常画像特定情報および省電力画像特定情報は、表示する画像が変化しない場合（固定の場合）、通常画像記憶部１０９または少量画像記憶部１１０の画像の格納先を示す画像アドレスを含み、表示する画像が操作情報により変化する場合、画像アドレスに加え、操作情報に対応する種別名を含む。例えば、操作情報に対応する種別名が“設定温度”の場合、画面生成部１０６は、操作情報保持部１２１から設定温度の数値を取得し、その数値に対応した数字画像の画像アドレスを特定する。
【００２５】
画面生成部１０６は、イベント管理部１０５が抽出した画面番号に対応する画面構成情報を、画面構成情報記憶部１１１から取得すると、取得した画面構成情報から画面を構成する画像の表示座標と画像アドレスとを読み取り、表示座標と画像アドレスとを指定して描画部１０７に描画要求を行う。画面生成部１０６が画面を構成する全ての画像に対して描画要求を行うことにより、画面が生成される。ここで、画像アドレスの参照先は、リモコン１０の動作状態によって切り換わり、省電力フラグ１２２がオフ（通常動作）の場合は通常画像記憶部１０９となり、省電力フラグ１２２がオン（省電力動作）の場合は少量画像記憶部１１０となる。このように切り換えを行うことで、画面生成部１０６は、省電力フラグ１２２がオフからオンへ切り換えられた場合、切り換え直前にＬＣＤ１３２に表示されていた画面を構成する画像に対応するものであり、切り換え後に対応する画像の画像アドレスを用いて画面を生成させることができる。
【００２６】
描画部１０７は、画面生成部１０６から描画要求を受け付けると、画面生成部１０６から指定された画像アドレスに対応する画像を通常画像記憶部１０９または少量画像記憶部１１０から読み込み、読み込んだ画像を、画面生成部１０６から指定された表示座標に対応したＶＲＡＭ１２３内の領域に書き込む。
【００２７】
電源制御部１０８は、省電力フラグ１２２を監視し、リモコン１０の動作状態に応じて通常画像記憶部１０９および少量画像記憶部１１０への蓄電池１０１からの電力の供給を制御する。具体的には、電源制御部１０８は、リモコン１０が通常動作である場合、通常画像記憶部１０９へ蓄電池１０１からの電力を供給する一方で、少量画像記憶部１１０への蓄電池１０１からの電力供給を遮断する。これにより、電源制御部１０８は、リモコン１０が通常動作である場合に、描画部１０７によって画像の読み出しが行われない方の記憶部、即ち、少量画像記憶部１１０で電力が消費されることを防止している。
【００２８】
一方、電源制御部１０８は、リモコン１０が省電力動作である場合、少量画像記憶部１１０へ蓄電池１０１からの電力を供給する一方で、通常画像記憶部１０９への蓄電池１０１からの電力供給を遮断する。これにより、電源制御部１０８は、リモコン１０が省電力動作である場合に、描画部１０７によって画像の読み出しが行われない方の記憶部、即ち、通常画像記憶部１０９で電力が消費されることを防止している。
【００２９】
この電源制御部１０８によって、通常画像記憶部１０９および少量画像記憶部１１０への蓄電池１０１からの電力の供給を制御する具体的な構成は、図３に示す通りとなる。
【００３０】
図３に示すように、電源制御部１０８は、電界効果トランジスタＦＥＴ１によって通常画像記憶部１０９への電源供給を制御する。電界効果トランジスタＦＥＴ１のドレインに通常画像記憶部１０９の電源端子が接続され、電界効果トランジスタＦＥＴ１のゲートに制御部１０３のポートが接続され、電界効果トランジスタＦＥＴ１のソースに蓄電池１０１の電源端子が接続されている。電源制御部１０８は、電界効果トランジスタＦＥＴ１のドレインへ出力する第１電源制御信号のレベルを切り換えることで、通常画像記憶部１０９への電源供給を制御する。具体的には、電源制御部１０８は、第１電源制御信号のレベルを「Ｈｉｇｈ（以後、単に「Ｈ」と記載する）」にして、電界効果トランジスタＦＥＴ１を導通させ、通常画像記憶部１０９への電源供給を行う一方、第１電源制御信号のレベルを「Ｌｏｗ（以後、単に「Ｌ」と記載する」にして、電界効果トランジスタＦＥＴ１を遮断させ、通常画像記憶部１０９への電源供給を遮断する。
【００３１】
同様に、電源制御部１０８は、電界効果トランジスタＦＥＴ２によって少量画像記憶部１１０への電源供給を制御する。電界効果トランジスタＦＥＴ２のドレインに少量画像記憶部１１０の電源端子が接続され、電界効果トランジスタＦＥＴ２のゲートに制御部１０３のポートが接続され、電界効果トランジスタＦＥＴ２のソースに蓄電池１０１の電源端子が接続されている。電源制御部１０８は、電界効果トランジスタＦＥＴ２のドレインへ出力する第２電源制御信号のレベルを切り換えることで、少量画像記憶部１１０への電源供給を制御する。具体的には、電源制御部１０８は、第２電源制御信号のレベルを「Ｈ」にして、電界効果トランジスタＦＥＴ２を導通させ、少量画像記憶部１１０への電源供給を行う一方、第１電源制御信号のレベルを「Ｌ」にして、電界効果トランジスタＦＥＴ２を遮断させ、少量画像記憶部１１０への電源供給を遮断する。
【００３２】
通常画像記憶部１０９は、例えばＲＯＭである。通常画像記憶部１０９は、通常動作時にＬＣＤ１３２に表示する画素から構成された画像を格納する。ここで、格納される画像は、ＬＣＤ１３２に表示させる各画素毎の表示色を表した情報の集合、つまり、画像情報である。通常画像記憶部１０９には、ＪＰＥＧ（Joint Photographic Experts Group）などの所定の方式で圧縮した圧縮画像を格納してもよく、この場合、前述の描画部１０７にて圧縮画像を伸張した後にＶＲＡＭ１２３に画像が書き込まれる。通常画像記憶部１０９には例えば２５６色を指定可能なカラー画像が格納されている。
【００３３】
少量画像記憶部１１０は、例えばＲＯＭである。少量画像記憶部１１０は、省電力動作時にＬＣＤ１３２に表示する画素から構成された画像を格納する。ここで、格納される画像は、通常画像記憶部１０９に記憶される画像に対応した情報、つまり、画像情報である。少量画像記憶部１１０には、例えば２色のモノクロ画像が格納されている。
【００３４】
このように、通常画像記憶部１０９に格納された画像よりも情報量の少ない画像を少量画像記憶部１１０に格納させることにより、通常画像記憶部１０９と比べて、少量画像記憶部１１０の記憶容量を少なくでき、結果、少量画像記憶部１１０で動作時に使用される消費電力も小さくすることができる。
【００３５】
通常画像記憶部１０９に記憶されたカラー画像を用いた画面例、および少量画像記憶部１１０に記憶されたモノクロ画像を用いた画面例は、図４に示す通りとなる。
【００３６】
カラー画像を用いた画面例は、図４（ａ）に示す通り、エアコン２０が運転中であることを示す「入」の文字、エアコン２０が冷房運転であることを示す「冷」の文字ボタン、および設定温度「２６℃」の表示窓が、ハイライトされている。また、文字ボタン「切」、「送」、「暖」および上下２つの三角で構成される設定温度調整ボタンが、ハッチングされている。更に、背景も色付けされている。
【００３７】
一方、モノクロ画像を用いた画面例は、図４（ｂ）に示す通り、文字ボタン、表示窓および設定温度調整ボタンが、単色（例えば、黒色）で表示される。
【００３８】
上述した通り、少量画像記憶部１１０に記憶されたモノクロ画像は２色が使用可能であり、通常画像記憶部１０９に記憶されたカラー画像は２５６色が使用可能である。よって、モノクロ画像は、カラー画像と比べて、情報量が８分の１である。従って、リモコン１０が省電力動作である場合、描画部１０７は、少量画像記憶部１１０に記憶されたモノクロ画像を、通常画像記憶部１０９に記憶されたカラー画像を読み出す場合と比較して、少ない電力で読み出すことができる。従って、リモコン１０では、リモコン１０が省電力動作である場合に、消費される電力を抑制することができる。
【００３９】
図１に示す画面構成情報記憶部１１１は、画面生成部１０６が取得する画面構成情報を記憶する。画面構成情報記憶部１１１に記憶される画面構成情報は、上述の通り、表示座標、通常画像特定情報および省電力画像特定情報から構成される。
【００４０】
ＲＡＭ１２０は、操作情報保持部１２１と、省電力フラグ１２２と、ＶＲＡＭ１２３と、を備えている。
【００４１】
操作情報保持部１２１は、例えば、エアコン２０の動作状態（冷房、送風、暖房）やエアコン２０の設定温度等のエアコン２０の操作状態を示す情報を、操作情報として記憶する。操作情報保持部１２１に記憶された操作情報は、エアコン２０の操作状態に変更が生じた場合、イベント管理部１０５により更新される。
【００４２】
省電力フラグ１２２は、リモコン１０が通常動作であるか、或いは、リモコン１０が省電力動作であるかを決定する。省電力フラグ１２２がオンになることで、リモコン１０は省電力動作となる一方、省電力フラグ１２２がオフになることで、リモコン１０は通常動作となる。リモコン１０の起動直後は、省電力フラグ１２２はオフである。
【００４３】
ＶＲＡＭ１２３は、ＬＣＤ１３２に表示する１画面分の各画素の表示色を記憶している。ＶＲＡＭ１２３の記憶内容を書き換えることにより、ＬＣＤ１３２の表示内容（画面）が変更される。
【００４４】
入力部１３０は、例えば、ＬＣＤ１３２上に配置されたタッチパネルである。入力部１３０は、通常動作或いは省電力動作へリモコン１０の動作状態を移行させる指示やエアコン２０の設定変更等の指示を、ユーザから受け付ける。
【００４５】
ＬＣＤ（Liquid Crystal Display）コントローラ１３１は、一定周期でＶＲＡＭ１２３の記憶内容を読み込み、ＬＣＤ１３２に、ＶＲＡＭ１２３に記憶された内容に対応する画面を表示させる。
【００４６】
ＬＣＤ１３２は、ドットマトリクス型の液晶ディスプレイである。
【００４７】
通信部１３３は、入力部１３０を介したユーザによる操作が行われた場合、エアコン２０の通信部２２０へ、例えば赤外線や電波を用いて操作状態の変更を指示するコマンドを送信する。通信部１３３は、このコマンドを、リモコン１０の動作状態に拘わらず、具体的には、リモコン１０が通常動作であっても、或いは、リモコン１０が省電力動作であっても、エアコン２０の通信部２２０へ送信することができる。
【００４８】
よって、リモコン１０では、蓄電池１０１の残量が所定値未満となり、リモコン１０が省電力動作となっても、リモコン１０で消費される電力を抑制した上で、エアコン２０の操作を行うことができる。従って、リモコン１０では、蓄電池１０１の残量が所定値未満となってもカラー画像を読み出すリモコンと比較して、エアコン２０の操作を長時間行うことができる。
【００４９】
バスラインＢＬは、Ａ／Ｄコンバータ１０２と、制御部１０３と、通常画像記憶部１０９と、少量画像記憶部１１０と、画面構成情報部１１１と、ＲＡＭ１２０と、ＲＯＭ１２５と、入力部１３０と、ＬＣＤコントローラ１３１と、通信部１３３と、を相互に接続する。
【００５０】
エアコン２０は、部屋内の温度等を調整するエアコンディショナであり、制御部２０１と、通信部２０３と、操作情報保持部２０４と、を備えている。
【００５１】
制御部２０１は、エアコン２０の制御を行う。制御部２０１は、図示しないＣＰＵ（Central Processing Unit）、ＲＯＭおよびＲＡＭを備えている。
【００５２】
制御部２０１は、ＣＰＵがＲＯＭに格納されたプログラムを実行することにより、コントロール部２０２の機能を実現する。
【００５３】
コントロール部２０２は、操作情報保持部２０４に記憶されたエアコン２０の操作状態を示す操作情報に従って、エアコン２０の運転を行う。
【００５４】
通信部２０３は、リモコン１０の通信部１３３から送信されたコマンドを受信する。
【００５５】
バスラインＢＬは、制御部２０１と、通信部２０３と、操作情報保持部２０４と、を相互に接続する。
【００５６】
操作情報保持部２０４は、エアコン２０の動作状態（冷房、送風、暖房）やエアコン２０の設定温度等のエアコン２０の操作状態を示す情報を、操作情報として記憶する。操作情報保持部２０４に記憶された操作情報は、通信部２０３でコマンドが受信され、エアコン２０の操作状態に変更が生じた場合、制御部２０１によって更新される。
【００５７】
上述したリモコン１０で実行される省電力設定処理を、図５を参照して説明する。省電力設定処理は、省電力フラグ１２２のオンオフを切り換える処理である。省電力設定処理は、定期的（例えば、１分毎）に、実行される。加えて、省電力設定処理は、入力部１３０を介したユーザによる操作が行われた場合にも実行される。
【００５８】
省電力設定処理では、まず、制御部１０３は、省電力フラグ１２２がオンであるか否かを判定する（ステップＳ１）。
【００５９】
制御部１０３は、省電力フラグ１２２がオフであると判定すると（ステップＳ１：Ｎｏ）、ステップＳ２へ移行する。
【００６０】
ステップＳ２では、制御部１０３（イベント管理部１０５）は、省電力動作への移行を指示するユーザの操作が入力部１３０で受け付けられたか否かを判定する（ステップＳ２）。
【００６１】
制御部１０３（イベント管理部１０５）は、省電力動作への移行を指示する操作が受け付けられた場合（ステップＳ２：Ｙｅｓ）、省電力フラグ１２２をオンして（ステップＳ３）、この省電力設定処理を終了する。
【００６２】
一方、制御部１０３（イベント管理部１０５）は、省電力動作への移行を指示する操作が受け付けられていない場合（ステップＳ２：Ｎｏ）、ステップＳ４へ移行する。また、制御部１０３は、ステップＳ１で、省電力フラグ１２２がオンであると判定した場合も（ステップＳ１：Ｙｅｓ）、ステップＳ４へ移行する。
【００６３】
ステップＳ４では、制御部１０３（電池残量検出部１０４）は、蓄電池１０１の出力電圧が閾値未満であるか否か、即ち、蓄電池１０１の残量が所定量未満であるか否か、を判定する（ステップＳ４）。
【００６４】
制御部１０３（電池残量検出部１０４）は、出力電圧が閾値未満であると判定すると（ステップＳ４：Ｙｅｓ）、蓄電池１０１の残量が所定量未満であることが検出されたので、ステップＳ３を実行して、この省電力設定処理を終了する。一方、制御部１０３（電池残量検出部１０４）は、出力電圧が閾値以上であると判定すると（ステップＳ４：Ｎｏ）、蓄電池１０１の残量が所定量以上であることが検出されたので、ステップＳ５へ移行する。
【００６５】
ステップＳ５では、制御部１０３（イベント管理部１０５）は、通常動作への移行を指示するユーザの操作が入力部１３０で受け付けられたか否かを判定する（ステップＳ５）。
【００６６】
制御部１０３（イベント管理部１０５）は、通常動作への移行操作が受け付けられたと判定すると（ステップＳ５：Ｙｅｓ）、省電力フラグ１２２をオフして（ステップＳ６）、この省電力設定処理を終了する。
【００６７】
制御部１０３（イベント管理部１０５）は、通常動作への移行操作が受け付けられていないと判定すると（ステップＳ５：Ｎｏ）、省電力フラグ１２２の切換を行わず、この省電力設定処理を終了する。
【００６８】
上述のようにして、省電力設定処理では、省電力フラグ１２２のオンオフを切り換え、リモコン１０の動作状態を、省電力動作或いは通常動作のいずれかに切り換える。
【００６９】
次に、リモコン１０で実行される画面生成処理を、図６を参照して説明する。
【００７０】
画面生成処理は、省電力フラグ１２２のオンオフが切り換えられた場合や、入力部１３０を介したユーザによる操作が行われた場合等に実行される。この画面生成処理では、通常画像記憶部１０９に格納された画像および少量画像記憶部１１０に格納された画像は、圧縮された情報として説明を行う。
【００７１】
画面生成処理では、まず、制御部１０３（イベント管理部１０５）は、変更に使用する画面が何であるかを示す画面番号を、ＲＯＭに記憶されたテーブル（操作内容と変更後の画面番号が対応付けられたテーブル）から抽出する（ステップＳ１１）。具体的には、例えば、イベント管理部１０５は、エアコン２０を設置した部屋の形状（縦長か横長か）を設定する操作がユーザにより行われると、部屋の形状の設定画面に対応する画面番号を特定する。また、例えば、イベント管理部１０５は、エアコン２０の内部の掃除に関する設定の操作がユーザにより行われると、掃除に関する設定画面に対応する画面番号を特定する。
【００７２】
その後、制御部１０３（画面生成部１０６）は、イベント管理部１０５で特定された画面番号に対応する画面構成情報を、画面構成情報記憶部１１１から取得する（ステップＳ１２）。
【００７３】
その後、制御部１０３（画面生成部１０６）は、省電力フラグ１２２がオンであるか、即ち、リモコン１０が省電力動作であるかを判定する（ステップＳ１３）。
【００７４】
制御部１０３（画面生成部１０６）は、省電力フラグ１２２がオンであると判定すると、即ち、リモコン１０が省電力動作であると判定すると（ステップＳ１３：Ｙｅｓ）、画面構成情報から画面を構成する画像の表示座標と画像アドレスとを決定する（ステップＳ１４）。このとき、画像アドレスは、少量画像記憶部１１０のアドレスとなる。
【００７５】
その後、制御部１０３（画面生成部１０６）は、画像アドレスと表示座標を指定し、画像の描画要求を、制御部１０３（描画部１０７）に対して行う（ステップＳ１５）。
【００７６】
すると、制御部１０３（描画部１０７）は、ステップＳ１４で決定された画像の画像アドレスに従い、少量画像記憶部１１０へアクセスし、少量画像記憶部１１０からモノクロ画像（圧縮画像）を読み出して（ステップＳ１６）、伸張し（ステップＳ１７）、決定された表示座標に対応したＶＲＡＭ１２３内の領域に、伸張した画像を書き込む。（ステップＳ１８）。
【００７７】
制御部１０３は、上述したステップＳ１４からステップＳ１８までの処理を、ＬＣＤ１３２に表示する画面内の全画像に対して行った後に、画面生成処理を終了する。
【００７８】
一方、制御部１０３（画面生成部１０６）は、省電力フラグ１２２がオフであると判定すると、即ち、リモコン１０が通常動作であると判定すると（ステップＳ１３：Ｎｏ）、画面構成情報から画面を構成する画像の画像アドレスと表示座標を決定する（ステップＳ２０）。このとき、画像アドレスは、通常画像記憶部１０９のアドレスとなる。
【００７９】
その後、制御部１０３（画面生成部１０６）は、画像アドレスと表示座標を指定し、画像の描画要求を、制御部１０３（描画部１０７）に対して行う（ステップＳ２１）。
【００８０】
すると、制御部１０３（描画部１０７）は、ステップＳ２０で決定された画像の画像アドレスに従い、通常画像記憶部１０９へアクセスし、通常画像記憶部１１０からカラー画像（圧縮画像）を読み出して（ステップＳ２２）、伸張し（ステップＳ２３）、決定された表示座標に対応したＶＲＡＭ１２３内の領域に、伸張した画像を書き込む（ステップＳ１８）。
【００８１】
制御部１０３は、上述したステップＳ２０からステップＳ２２までの処理およびステップＳ１８の処理を、ＬＣＤ１３２に表示する画面内の全画像に対してった後に、画面生成処理を終了する。
【００８２】
上述した画面生成処理を実行することで、リモコン１０は、省電力フラグ１２２がオフからオンへ切り換えられた場合、切り換え直前にＬＣＤ１３２に表示されていた画面を構成する画像に対応するものであり、切り換え後に対応する画像の画像アドレスを用いて少量画像記憶部１１０からモノクロ画像を読み出し、これを用いて画面を生成し、ＬＣＤ１３２に表示することができる。
【００８３】
ここで、少量画像記憶部１１０に格納されるモノクロ画像は、通常画像記憶部１０９に格納されるカラー画像と比べて、１画素あたりの情報量が８分の１である。従って、省電力フラグ１２２がオンである場合（リモコン１０が省電力動作である場合）、描画部１０７で行われる少量画像記憶部１１０からの読み込みにおける転送量やＶＲＡＭ１２３への書き込みにおける転送量を、リモコン１０が通常動作である場合と比較して抑制でき、短時間に描画することができる。したがって、リモコン１０は、省電力動作時にモノクロ表示とすることにより、消費される電力を抑制することができる。
【００８４】
なお、通常画像記憶部１０９に格納された画像および少量画像記憶部１１０に格納された画像が非圧縮の場合、ステップＳ１７およびステップＳ２３をスキップすればよい。
【００８５】
次に、リモコン１０で実行される通電切換処理を、図７を参照して説明する。通電切換処理は、省電力フラグ１２２のオンオフの状態に応じて、即ち、リモコン１０が省電力動作であるか或いは通常動作であるかに応じて、蓄電池１０１からの直流電力を、通常画像記憶部１０９または少量画像記憶部１１０のいずれかに供給する処理である。通電切換処理は、省電力フラグ１２２のオンオフが切り換えられた場合に実行される。
【００８６】
通電切換処理では、まず、制御部１０３（電源制御部１０８）は、省電力フラグ１２２がオンであるか否かを判定する（ステップＳ３１）。
【００８７】
制御部１０３（電源制御部１０８）は、省電力フラグ１２２がオンである、即ち、リモコン１０が省電力動作であると判定すると（ステップＳ３１：Ｙｅｓ）、第１電源制御信号を「Ｌ」へ切り換え、電界効果トランジスタＦＥＴ１を遮断状態にする（ステップＳ３２）。
【００８８】
その後、制御部１０３（電源制御部１０８）は、第２電源制御信号を「Ｈ」へ切り換え、電界効果トランジスタＦＥＴ２を導通状態にする（ステップＳ３３）。
【００８９】
その後、制御部１０３（電源制御部１０８）は、この導通切換処理を終了する。
【００９０】
つまり、制御部１０３（電源制御部１０８）は、リモコン１０が省電力動作である場合に、描画部１０７によって画像の読み出しが行われない方の記憶部、即ち、通常画像記憶部１０９で電力が消費されることを防止している。
【００９１】
一方、制御部１０３（電源制御部１０８）は、省電力フラグ１２２がオフである、即ち、リモコン１０が通常動作であると判定すると（ステップＳ３１：Ｎｏ）、第２電源制御信号を「Ｌ」へ切り換え、電界効果トランジスタＦＥＴ２を遮断状態にする（ステップＳ３４）。
【００９２】
その後、制御部１０３（電源制御部１０８）は、第１電源制御信号を「Ｈ」へ切り換え、電界効果トランジスタＦＥＴ１を導通状態にする（ステップＳ３５）。
【００９３】
その後、制御部１０３（電源制御部１０８）は、この導通切換処理を終了する。
【００９４】
つまり、制御部１０３（電源制御部１０８）は、リモコン１０が通常動作である場合に、描画部１０７によって画像の読み出しが行われない方の記憶部、即ち、少量画像記憶部１１０で電力が消費されることを防止している。
【００９５】
上述した通り、第１の実施形態に係るエアコンシステム１のリモコン１０は、省電力フラグ１２２がオンであると判定すると、即ち、リモコン１０が省電力動作であると判定すると、描画部１０７が読み出す画像を、少量画像記憶部１１０に記憶されたモノクロ画像に決定する。このモノクロ画像は、通常画像記憶部１０９に記憶されるカラー画像と比べて、情報量が８分の１である。従って、リモコン１０が省電力動作である場合、描画部１０７は、少量画像記憶部１１０に記憶されたモノクロ画像を、通常画像記憶部１０９に記憶されたカラー画像を読み出す場合と比較して、少ない電力で読み出すことができる。従って、リモコン１０では、リモコン１０が省電力動作である場合、消費される電力を抑制することができる。また、リモコン１０は、リモコン１０が省電力動作である場合、入力部１３０の操作の有無に関わらず、描画部１０７が読み出す画像を、少量画像記憶部１１０に記憶されたモノクロ画像に決定する。よって、リモコン１０は、操作の有無に影響されることなく、消費される電力を抑制できる。
【００９６】
また、リモコン１０は、省電力フラグ１２２がオンであると判定すると、即ち、リモコン１０が省電力動作であると判定すると、描画部１０７によって画像の読み出しが行われない方の記憶部、即ち、通常画像記憶部１０９への蓄電池１０１からの電力供給を遮断する。これにより、リモコン１０は、リモコン１０が省電力動作である場合に、通常画像記憶部１０９で蓄電池１０１からの電力が消費されることを防止している。従って、リモコン１０では、リモコン１０が省電力動作である場合、消費される電力を抑制することができる。
【００９７】
また、リモコン１０では、蓄電池１０１の残量が所定値未満となり、リモコン１０が省電力動作となっても、リモコン１０で消費される電力を抑制した上で、エアコン２０の操作を行うことができる。従って、リモコン１０では、蓄電池１０１の残量が所定量未満となってもカラー画像を読み出すリモコンと比較して、エアコン２０の操作を長時間行うことができる。
【００９８】
また、少量画像記憶部１１０に記憶される画像は、通常画像記憶部１０９に記憶される画像で使用可能な色を削減したものである。よって、リモコン１０の開発時において、少量画像記憶部１１０に記憶させる画像を、通常画像記憶部１０９に記憶させる画像を流用して、作成することができる。従って、通常画像記憶部１０９に記憶させる画像を流用せず、少量画像記憶部１１０に記憶させる画像を作成する場合と比較して、画像の開発期間および開発コストを抑制することができる。
【００９９】
（第２の実施形態）
次に、本発明の第２の実施形態に係るエアコンシステム２を、図８〜１０を参照して説明する。エアコンシステム２は、第１の実施形態に係るエアコンシステム１の構成および処理の一部を変更したものである。よって、エアコンシステム２では、エアコンシステム１と同一の構成・同一の動作（処理）については同一の番号を付して、その説明を省略する。
【０１００】
エアコンシステム２は、リモコン３０と、コントローラ４０と、エアコン４１＿１，４１＿２と、電源ケーブル５０と、通信ケーブル６０と、制御ケーブル７０と、を備えている。
【０１０１】
リモコン３０は、コントローラ４０を介して、エアコン４１＿１を操作するリモートコントローラである。なお、エアコン４１＿１と同一機種のエアコン４１＿２は、リモコン３０と別のリモコン３０により、コントローラ４０を介して操作される。
【０１０２】
リモコン３０は、エアコン４１＿１から電源ケーブル５０を介して供給される直流電力を消費して動作する。このため、リモコン３０は、第１の実施形態のリモコン１０から、蓄電池１０１と、Ａ／Ｄコンバータ１０２と、電池残量検出部１０４と、を取り除いている。また、通信部１３３を通信部１３６へ変更している。一方で、リモコン３０は、第１の実施形態のリモコン１０が有さない、電源部１３４と、フラグ切換部１３５と、を備えている。
【０１０３】
また、リモコン３０は、第１の実施形態のリモコン１０と同様、省電力設定処理（図５参照）、画面生成処理（図６参照）および通電切換処理（図７参照）を実行する。ただし、リモコン３０は、リモコン１０で実行した省電力設定処理（図５参照）とは処理の内容が一部異なる省電力設定処理（図１０）を実行する。なお、リモコン３０は、画面生成処理および通電切換処理については、リモコン１０と同一の処理を実行する。
【０１０４】
リモコン３０の電源部１３４は、電源ケーブル５０を介してエアコン４１＿１から供給される直流電圧を例えば降圧して、リモコン３０の各部１０３〜１３６およびバスラインＢＬへ直流電圧を供給する。エアコン４１＿１から供給される直流電圧は、蓄電池１０１（図１参照）から供給される直流電圧とは異なり、時間と共に減少せず、安定している。このため、リモコン３０では、リモコン１０で蓄電池１０１の供給電力（電池残量）の検出に使用したＡ／Ｄコンバータ１０２および電池残量検出部１０４を、不要としている。
【０１０５】
ここで、蓄電池１０１に代えて、電源部１３４から、通常画像記憶部１０９および少量画像記憶部１１０へ直流電力を供給する構成は、図９に示す通りとなる。
【０１０６】
具体的には、電界効果トランジスタＦＥＴ１および電界効果トランジスタＦＥＴ２の各ソースに電源部１３４の電源供給端子が接続され、電源部１３４の接地端子は、グランドされている。
【０１０７】
図８に示すフラグ切換部１３５は、制御部１０３が、ＲＯＭ１２５に格納されたプログラムを実行することにより、実現される機能である。フラグ切換部１３５は、リモコン３０の動作状態を通常動作から省電力動作へ切り換える省電力コマンドを、通信部１３６を介して受信した場合に、省電力フラグ１２２をオンにする。一方、フラグ切換部１３５は、リモコン３０の動作状態を省電力動作から通常動作へ切り換える通常コマンドを、通信部１３６を介して受信した場合に、省電力フラグ１２２をオフにする。
【０１０８】
通信部１３６は、通信ケーブル６０を介して、コントローラ４０の通信部４０６と通信を行う。具体的には、通信部１３６は、入力部１３０を介したユーザによる操作が行われた場合、コントローラ４０の通信部４０６へ、エアコン４１＿１の操作状態の変更を指示するコマンドを送信する。また、通信部１３６は、リモコン３０の動作状態の変更を行う通常コマンドや省電力コマンドがコントローラ４０の通信部４０６から送信されると、これを受信する。
【０１０９】
通信部１３６は、リモコン３０の動作状態に拘わらず、具体的には、リモコン３０が通常動作であっても、或いは、リモコン３０が省電力動作であっても、このコマンドの送受信を行うことができる。よって、リモコン３０では、リモコン３０が省電力動作となっても、引き続き、エアコン４１＿１の操作を行うことができる。
【０１１０】
コントローラ４０は、エアコン４１＿１およびエアコン４１＿２の動作等を制御する。コントローラ４０は、第１の実施形態のエアコン２０が有するコントロール部２０２および操作情報保持部２０４を備えている。更に、コントローラ４０は、第１の実施形態のエアコン２０が有さない次の構成、即ち、制御部４０１と、契約電力記憶部４０４と、床面積記憶部４０５と、通信部４０６と、インターフェイス部４０７と、入力部４０８と、表示部４０９と、スピーカ４１０と、を備えている。
【０１１１】
制御部４０１は、エアコン４１＿１およびエアコン４１＿２の動作等の制御を行う。制御部４０１は、図示しないＣＰＵ、ＲＯＭおよびＲＡＭを備えている。
【０１１２】
ＣＰＵは、ＲＯＭに格納されたプログラム（例えば、後述する図１０に示す処理を実現するプログラム）を実行する。
【０１１３】
また、制御部４０１は、ＣＰＵがＲＯＭに格納されたプログラムを実行することにより、第１の実施形態のエアコン２０で実現されたコントロール部２０２に加え、消費電力予測部４０２と、電力演算部４０３と、の機能を実現する。
【０１１４】
消費電力予測部４０２は、リモコン３０を介してユーザから指示された操作状態の変更を、エアコン４１＿１で実現する場合に必要となる、時間当たりの消費電力を予測する。具体的には、消費電力予測部４０２は、リモコン３０を介してユーザから指示された操作状態の変更と、操作情報保持部２０４に記憶された操作情報で示される現在の操作状態との差分（例えば、新たに指示された設定温度と、現在の設定温度との差分や、新たに指示された設定湿度と、現在の設定湿度との差分等）を算出し、その差分と、エアコン４１＿１が使用されている部屋の床面積（床面積記憶部４０５に記憶された値）とから、必要となる消費カロリーを算出する。そして、消費電力予測部４０２は、算出した消費カロリーから、必要となる時間当たりの消費電力を予測する。
【０１１５】
電力演算部４０３は、消費電力予測部４０２で予測された単位時間当たりの消費電力が、エアコン４１＿１およびエアコン４１＿２で消費可能な電力として割り当てられている消費可能電力（単位時間当たりの消費可能な電力）を超えていないかを判定する。
【０１１６】
更に、電力演算部４０３は、消費電力予測部４０２で予測された単位時間当たりの消費電力が、消費可能電力を超える場合、リモコン３０を省電力動作にすれば、消費可能電力内となるかを演算する。具体的には、電力演算部４０３は、リモコン３０を省電力動作に移行させた場合に低減される消費電力を、消費電力予測部４０２で予測された単位時間当たりの消費電力から減算し、その減算した単位時間当たりの消費電力が、消費可能電力内となるか否かを判定する。
【０１１７】
そして、電力演算部４０３は、減算された単位時間当たりの消費電力が、消費可能電力内となると判定すると、リモコン３０を省電力動作に移行させる省電力コマンドを、通信部４０６を介して、リモコン３０へ送信する。
【０１１８】
消費可能電力記憶部４０４は、エアコン４１＿１およびエアコン４１＿２に、消費可能な電力として割り当てられている消費可能電力を記憶する。この消費可能電力記憶部４０４に記憶される消費可能電力は、入力部４０８の操作によってユーザにより設定される。この消費可能電力記憶部４０４には、例えば、電力会社と契約した契約電力が記憶される。
【０１１９】
床面積記憶部４０５は、エアコン４１＿１が使用されている部屋の床面積を記憶する。この床面積記憶部４０５に記憶される床面積は、入力部４０８を介してユーザにより設定される。
【０１２０】
通信部４０６は、通信ケーブル６０を介して、リモコン３０の通信部１３６と通信を行う。具体的には、通信部４０６は、リモコン３０の動作状態の変更を行う通常コマンドや省電力コマンドを、リモコン３０の通信部１３６へ送信する。また、通信部４０６は、エアコン４１＿１の操作状態の変更を指示するコマンドがリモコン３０の通信部１３６から送信されると、これを受信する。
【０１２１】
インターフェイス部４０７は、制御ケーブル７０を介して、エアコン４１＿１或いはエアコン４１＿２の動作等を制御する信号を送信する。
【０１２２】
入力部４０８は、例えば、キーボードである。入力部４０８は、消費可能電力記憶部４０４に記憶させる消費可能電力や床面積記憶部４０５に記憶させる床面積のユーザによる入力を受け付ける。
【０１２３】
表示部４０９は、例えば、液晶ディスプレイである。表示部４０９は、リモコン３０を省電力動作にしても、消費電力予測部４０２で予測された単位時間当たりの消費電力が消費可能電力を超えると電力演算部４０３が判定した場合等に、警告を表示する。
【０１２４】
スピーカ４１０は、表示部４０９に警告が表示される場合、これに合わせて警告音を出力する。
【０１２５】
上述したコントローラ４０で実行される電力処理を、図１０を参照して説明する。電力処理は、ユーザから指示された操作状態の変更を、エアコン４１＿１で実現する場合に必要となる時間当たりの消費電力を予測する。また、電力処理は、予測した単位時間当たりの消費電力が、消費可能電力を超えるか否かを判定する。この電力処理は、エアコン４１＿１の操作状態の変更を指示するコマンドがコントローラ４０で受信された場合に実行される。
【０１２６】
電力処理では、まず、制御部４０１（消費電力予測部４０２）は、ステップＳ４１で、次の処理を実行する。即ち、制御部４０１（消費電力予測部４０２）は、リモコン３０を介してユーザから指示された操作状態の変更と、操作情報保持部２０４に記憶された操作情報で示される現在の操作状態との差分（例えば、新たに指示された設定温度と、現在の設定温度との差分や、新たに指示された設定湿度と、現在の設定湿度との差分等）を算出し、その差分と、エアコン４１＿１が使用されている部屋の床面積（床面積記憶部４０５に記憶された値）とから、必要となる消費カロリーを算出する。そして、制御部４０１（消費電力予測部４０２）は、算出した消費カロリーから、必要となる時間当たりの消費電力を予測する。
【０１２７】
次に、制御部４０１（電力演算部４０３）は、制御部４０１（消費電力予測部４０２）で予測された単位時間当たりの消費電力が、エアコン４１＿１およびエアコン４１＿２で消費可能な電力として割り当てられている消費可能電力、即ち、消費可能電力記憶部４０４に記憶された消費可能電力を、超えていないかを判定する（ステップＳ４２）。
【０１２８】
制御部４０１（電力演算部４０３）は、制御部４０１（消費電力予測部４０２）で予測された単位時間当たりの消費電力が、消費可能電力を超えると判定すると（ステップＳ４２：Ｙｅｓ）、ステップＳ４３で次の判定を行う。即ち、制御部４０１（電力演算部４０３）は、リモコン３０を省電力動作に移行させた場合に低減される消費電力を、制御部４０１（消費電力予測部４０２）で予測された単位時間当たりの消費電力から減算し、その減算した単位時間当たりの消費電力が消費可能電力内となるか否かを判定する（ステップＳ４３）。
【０１２９】
制御部４０１（電力演算部４０３）は、減算された単位時間当たりの消費電力が消費可能電力内となると判定すると（ステップＳ４３：Ｙｅｓ）、リモコン３０を省電力動作に移行させる省電力コマンドを、通信部４０６を介して、リモコン３０へ送信する（ステップＳ４４）。
【０１３０】
一方、制御部４０１（電力演算部４０３）は、減算された単位時間当たりの消費電力でも、消費可能電力を超えると判定すると（ステップＳ４３：Ｎｏ）、表示部４０９やスピーカ４１０を使用して、警告の報知を実行開始する（ステップＳ４６）。この報知は、ステップＳ４４或いはステップＳ４５が実行されるまで継続される。
【０１３１】
ステップＳ４２で、制御部４０１（電力演算部４０３）は、制御部４０１（消費電力予測部４０２）で予測された単位時間当たりの消費電力が消費可能電力内であると判定すると（ステップＳ４２：Ｙｅｓ）、リモコン３０を省電力動作に移行させる必要がないので、リモコン３０を通常動作に移行させる通常コマンドを、通信部４０６を介して、リモコン３０へ送信する（ステップＳ４５）。
【０１３２】
制御部４０１（電力演算部４０３）は、ステップＳ４４、ステップＳ４５或いはステップＳ４６の何れかの実行後、この電力処理を終了する。
【０１３３】
上述した通り、電力演算部４０３は、消費電力予測部４０２で予測された単位時間当たりの消費電力が消費可能電力を超える場合、リモコン３０を省電力動作に移行させた場合に低減される消費電力を、消費電力予測部４０２で予測された単位時間当たりの消費電力から減算する。そして、電力演算部４０３は、その減算した単位時間当たりの消費電力が、消費可能電力内となる場合、省電力コマンドを、リモコン３０へ送信する。
【０１３４】
次に、リモコン３０で実行される省電力設定処理（リモコン１０で実行される省電力設定処理と内容が一部異なる処理）を、図１１を参照して説明する。省電力設定処理は、省電力フラグ１２２のオンオフを切り換える処理である。省電力設定処理は、入力部１３０を介したユーザによる操作が行われた場合、またはコントローラ４０からコマンドを受信した場合に実行される。
【０１３５】
リモコン３０で実行される省電力設定処理では、まず、制御部１０３（ＣＰＵ）は、省電力フラグ１２２がオンであるか否かを判定する（ステップＳ５１）。
【０１３６】
制御部１０３は、省電力フラグ１２２がオフであると判定すると（ステップＳ５１：Ｎｏ）、ステップＳ５２へ移行する。
【０１３７】
ステップＳ５２では、制御部１０３（イベント管理部１０５）は、省電力動作へのユーザによる移行の操作が入力部１３０で受け付けられたか否かを判定する（ステップＳ５２）。
【０１３８】
制御部１０３（イベント管理部１０５）は、省電力動作への移行を指示する操作が受け付けられた場合（ステップＳ５２：Ｙｅｓ）、省電力フラグ１２２をオンして（ステップＳ５３）、この省電力設定処理を終了する。
【０１３９】
一方、制御部１０３（イベント管理部１０５）は、省電力動作への移行を指示する操作が受け付けられていない場合（ステップＳ５２：Ｎｏ）、ステップＳ５４へ移行する。また、制御部１０３は、ステップＳ５１で、省電力フラグ１２２がオンであると判定した場合も（ステップＳ５１：Ｙｅｓ）、ステップＳ５４へ移行する。
【０１４０】
ステップＳ５４では、制御部１０３（イベント管理部１０５）は、通常動作へのユーザによる移行の操作が入力部１３０で受け付けられたか否かを判定する（ステップＳ５４）。
【０１４１】
制御部１０３（イベント管理部１０５）は、通常動作への移行操作が受け付けられたと判定すると（ステップＳ５４：Ｙｅｓ）、省電力フラグ１２２をオフして（ステップＳ５５）、この省電力設定処理を終了する。
【０１４２】
一方、制御部１０３（イベント管理部１０５）は、通常動作への移行操作が受け付けられていないと判定すると（ステップＳ５４：Ｎｏ）、ステップＳ５６へ移行する。
【０１４３】
ステップＳ５６では、制御部１０３（フラグ切換部１３５）は、通信部１３６で省電力コマンドを受信したか否かを判定する（ステップＳ５６）。
【０１４４】
ステップＳ５６では、制御部１０３（フラグ切換部１３５）は、省電力コマンドを受信したと判定すると（ステップＳ５６：Ｙｅｓ）、エアコン４１＿１、エアコン４１＿２およびリモコン３０で消費される電力を消費可能電力内とするために、省電力フラグ１２２をオンして（ステップＳ５３）、この省電力設定処理を終了する。
【０１４５】
一方、制御部１０３（フラグ切換部１３５）は、省電力コマンドを受信していないと判定すると（ステップＳ５６：Ｎｏ）、通信部１３６で通常コマンドを受信したか否かを判定する（ステップＳ５７）。
【０１４６】
制御部１０３（フラグ切換部１３５）は、通常コマンドを受信したと判定すると（ステップＳ５７：Ｙｅｓ）、リモコン３０を通常動作とするため、省電力フラグ１２２をオフして（ステップＳ５５）、この省電力設定処理を終了する。
【０１４７】
一方、制御部１０３（フラグ切換部１３５）は、通常コマンドを受信していないと判定すると（ステップＳ５７：Ｎｏ）、この省電力設定処理を終了する。
【０１４８】
上述のようにして、省電力設定処理では、入力部１３０を介したユーザによる操作、またはコントローラ４０から受信したコマンドに応じて、省電力フラグ１２２のオンオフを切り換え、リモコン３０の動作状態を、省電力動作或いは通常動作のいずれかに切り換える。
【０１４９】
上述した通り、第２の実施形態に係るエアコンシステム２のリモコン３０は、コントローラ４０から省電力コマンドを受信すると、省電力動作に切り換わる。すると、リモコン３０は、第１の実施形態に係るエアコンシステム１のリモコン１０と同様、画像構成処理で、描画部１０７が読み出す画像を、少量画像記憶部１１０に記憶されたモノクロ画像に決定する。このモノクロ画像は、通常画像記憶部１０９に記憶されるカラー画像と比べて、情報量が８分の１である。従って、リモコン３０が省電力動作である場合、描画部１０７は、少量画像記憶部１１０に記憶されたモノクロ画像を、通常画像記憶部１０９に記憶されたカラー画像を読み出す場合と比較して、少ない電力で読み出すことができる。従って、リモコン３０は、リモコン３０が省電力動作である場合、消費される電力を抑制することができる。また、リモコン３０は、リモコン１０が省電力動作である場合、入力部１３０の操作の有無に関わらず、描画部１０７が読み出す画像を、少量画像記憶部１１０に記憶されたモノクロ画像に決定する。よって、リモコン３０は、操作の有無に影響されることなく、消費される電力を抑制できる。
【０１５０】
また、リモコン３０は、省電力フラグ１２２がオンであると判定すると、即ち、リモコン１０が省電力動作であると判定すると、描画部１０７によって画像の読み出しが行われない方の記憶部、即ち、通常画像記憶部１０９への電源部１３４からの電力供給を遮断する。これにより、リモコン３０は、リモコン３０が省電力動作である場合に、通常画像記憶部１０９で電源部１３４からの電力が消費されることを防止している。従って、リモコン３０では、リモコン３０が省電力動作である場合、消費される電力を抑制することができる。
【０１５１】
以上、本発明の実施形態を説明したが、この発明は上記の実施形態に限定されず、種々の変形および応用が可能である。
【０１５２】
例えば、上述した各実施形態では、少量画像記憶部１１０に記憶される画像の例として、２色を使用可能なモノクロ画像を用いたが、これに限られるものではない。即ち、少量画像記憶部１１０に記憶される画像は、例えば、通常画像記憶部１０９に記憶された画像の解像度よりも、低い解像度の画像でもよい。この低い解像度の画像とは、例えば、通常画像記憶部１０９に記憶された画像を構成する画素数よりも少ない画素数となる画像が例示される。このように、少量画像記憶部１１０に記憶された画像の解像度を、通常画像記憶部１０９に記憶された画像の解像度よりも低くすることによっても、少量画像記憶部１１０に記憶された画像の情報量を、通常画像記憶部１０９に記憶された画像と比べて、少なくすることができる。よって、動作状態が省電力動作である場合には、リモコン１０およびリモコン３０で画像の読み出し時に消費される電力を、動作状態が通常動作である場合と比較して、抑制することができる。従って、動作状態が省電力動作である場合、消費される電力を抑制することができる。
【０１５３】
また、例えば、通常画像記憶部１０９に記憶された画像にグラデーションが利用されている場合には、少量画像記憶部１１０に記憶される画像を、グラデーションを利用しない単色のものとしてもよい。この場合、少量画像記憶部１１０に記憶される画像に、単色で構成される画像を高い圧縮率で圧縮できるランレングス方式やＰａｃｋｂｉｔｓ方式といった可逆圧縮方式を適用してもよい。これにより、少量画像記憶部１１０に記憶される画像の圧縮率を高め、少量画像記憶部１１０に記憶された画像の情報量を、通常画像記憶部１０９に記憶された画像の情報量と比べて、より少なくすることができる。よって、動作状態が省電力動作である場合には、リモコン１０およびリモコン３０で画像の読み出し時に消費される電力を、動作状態が通常動作である場合と比較して、抑制することができる。従って、動作状態が省電力動作である場合、消費される電力を抑制することができる。
【０１５４】
また、ＲＯＭは、一般的に、記憶容量が小さくなると、消費電力が小さくなる。よって、少量画像記憶部１１０および通常画像記憶部１０９にＲＯＭを用いる場合には、リモコン１０で示したように、少量画像記憶部１１０の記憶容量を、通常画像記憶部１０９の記憶容量よりも小さくすることで、少量画像記憶部１１０の消費電力を、通常画像記憶部１０９よりも、抑制することができる。
【０１５５】
また、少量画像記憶部１１０および通常画像記憶部１０９がＲＯＭ以外の例えば、ハードディスクである場合には、少量画像記憶部１１０での定格消費電力を、通常画像記憶部１０９での定格消費電力よりも小さいものを用いればよい。これによっても、少量画像記憶部１１０の消費電力を、通常画像記憶部１０９よりも、抑制することができる。
【０１５６】
また、上述した各実施形態のリモコン１０およびリモコン３０では、圧縮した画像を、通常画像記憶部１０９および少量画像記憶部１１０に記憶させたが、これに限られるものではない。即ち、通常画像記憶部１０９に非圧縮の画像を記憶させ、少量画像記憶部１１０に圧縮した画像を記憶させて、少量画像記憶部１１０に記憶された画像の情報量を、通常画像記憶部１０９に記憶された画像の情報量よりも少なくしてもよい。また、少量画像記憶部１１０に記憶された画像の情報量が、通常画像記憶部１０９に記憶された画像の情報量よりも少なければ、非圧縮の画像を、通常画像記憶部１０９および少量画像記憶部１１０に記憶させてもよい。
【０１５７】
また、上述した各実施形態では、ＬＣＤ１３２の表示面内に表示される画面を構成する画像を、制御部１０３がＲＯＭ１２５に格納されたプログラムを実行することにより実現される描画部１０７で生成したが、これに限られるものではない。この描画部１０７に代えて、ハードウェアで構成されるグラフィックアクセラレータを用いてもよい。この場合、グラフィックアクセラレータは、描画部１０７と同様、次の構成とすればよい。即ち、グラフィックアクセラレータは、画面生成部１０６から描画要求を受け付けると、画面生成部１０６から指定された画像アドレスに対応する画像を通常画像記憶部１０９または少量画像記憶部１１０から読み込み、読み込んだ画像を画面生成部１０６から指定された表示座標に対応したＶＲＡＭ１２３内の領域に書き込む構成とすればよい。
【０１５８】
また、上述した各実施形態では、少量画像記憶部１１０および通常画像記憶部１０９への通電、遮断を切り換えることにより、画像の読み出しが行われない方の記憶部で電力が消費されることを防止したが、これに限られるものではない。即ち、少量画像記憶部１１０および通常画像記憶部１０９の動作に使用される制御部１０３からのクロック信号の供給、非供給を、制御部１０３が制御可能な場合には、次のようにすることで、使用しない記憶部で電力が消費されることを防止することができる。
【０１５９】
即ち、制御部１０３（電源制御部１０８）は、リモコン１０或いはリモコン３０が通常動作である場合、少量画像記憶部１１０へのクロック信号の供給を停止する一方、通常画像記憶部１０９へはクロック信号を供給する。一方、リモコン１０或いはリモコン３０が省電力動作である場合、制御部１０３（電源制御部１０８）は、通常画像記憶部１０９へのクロック信号の供給を停止する一方、少量画像記憶部１１０へはクロック信号を供給する。このようにすることでも、使用しない記憶部で電力が消費されることを防止することができる。
【０１６０】
また、上述した各実施形態では、少量画像記憶部１１０および通常画像記憶部１０９は、ＣＰＵを内蔵しないものであったため、少量画像記憶部１１０或いは通常画像記憶部１０９への電力の供給、非供給を、電界効果トランジスタＦＥＴ１およびＦＥＴ２を用いて行ったが、これに限られるものではない。即ち、少量画像記憶部１１０および通常画像記憶部１０９にＣＰＵが内蔵される場合、少量画像記憶部１１０或いは通常画像記憶部１０９への電力の供給、非供給を、内蔵されるＣＰＵで制御してもよい。
【０１６１】
これは、次のような構成にすればよい。即ち、図３および図８に示す回路図から、電界効果トランジスタＦＥＴ１およびＦＥＴ２を削除する。そして、電界効果トランジスタＦＥＴ１，ＦＥＴ２の各ドレインに接続されていた各端子を、バスラインＢＬへ、それぞれ接続する。更に、蓄電池１０１或いは電源部１３４と、少量画像記憶部１１０および通常画像記憶部１０９のそれぞれとを、導線を用いて接続し、蓄電池１０１或いは電源部１３４の直流電力を、少量画像記憶部１１０および通常画像記憶部１０９のそれぞれへ供給するようにすればよい。また、少量画像記憶部１１０および通常画像記憶部１０９に内蔵されるＣＰＵには、リモコン１０或いはリモコン３０が通常動作であっても、リモコン１０或いはリモコン３０が省電力動作であっても、蓄電池１０１或いは電源部１３４から直流電力の供給を行うようにすればよい。この構成により、内蔵されたＣＰＵは、リモコン１０或いはリモコン３０が通常動作であっても、リモコン１０或いはリモコン３０が省電力動作であっても、動作可能となる。
【０１６２】
そして、制御部１０３（電源制御部１０８）は、リモコン１０或いはリモコン３０が通常動作である場合、バスラインＢＬを介して、通常画像記憶部１０９に内蔵されたＣＰＵへ供給命令を出力する一方、少量画像記憶部１１０に内蔵されたＣＰＵへ非供給命令を出力して、通常画像記憶部１０９への電力供給および少量画像記憶部１１０への電力の非供給を行う。一方、電源制御部１０８は、リモコン１０或いはリモコン３０が省電力動作である場合、バスラインＢＬを介して、通常画像記憶部１０９に内蔵されたＣＰＵへ非供給命令を出力する一方、少量画像記憶部１１０に内蔵されたＣＰＵへ供給命令を出力して、通常画像記憶部１０９への電力の非供給および少量画像記憶部１１０への電力供給を行えばよい。こうすることでも、リモコン１０或いはリモコン３０は、リモコン１０或いはリモコン３０が省電力動作である場合に、使用しない記憶部で電力が消費されることを防止することができる。
【０１６３】
なお、上記実施形態において、エアコンシステム１およびエアコンシステム２を制御するプログラムは、フレキシブルディスク、ＣＤ−ＲＯＭ（Compact Disc Read−Only Memory）、ＤＶＤ（Digital Versatile Disc）、ＭＯ（Magneto−Optical Disc）等のコンピュータが読み取り可能な記録媒体に格納して配布し、そのプログラムを、コンピュータ等にインストールすることにより、図５〜図７および図１０〜図１１に示す処理を実行するエアコンシステムを構成することとしてもよい。
【０１６４】
また、上述のプログラムをインターネット等の通信ネットワーク上の所定のサーバ装置が有するディスク装置等に格納しておき、例えば、搬送波に重畳させて、ダウンロード等するようにしてもよい。
【０１６５】
また、上述の図５〜図７および図１０〜図１１に示す処理を、各ＯＳ（Operating System）が分担して実現する場合、又は、ＯＳとアプリケーションとの協働により実現する場合等には、ＯＳ以外の部分のみを媒体に格納して配布してもよく、また、ダウンロード等してもよい。
【０１６６】
本発明は、本発明の広義の精神と範囲を逸脱することなく、様々な実施形態及び変形が可能とされるものである。また、上述した実施形態は、本発明を説明するためのものであり、本発明の範囲を限定するものではない。すなわち、本発明の範囲は、上述した実施形態ではなく、請求の範囲によって示される。そして、請求の範囲内およびそれと同等の発明の意義の範囲内で施される様々な変形が、本発明の範囲内とみなされる。
【産業上の利用可能性】
【０１６７】
本発明は、消費される電力の抑制実現に好適である。
【符号の説明】
【０１６８】
１，２                              エアコンシステム
１０，３０                          リモコン
２０，４１＿１，４１＿２            エアコン
４０                                コントローラ
１０１                              蓄電池
１０２                              Ａ／Ｄコンバータ
１０３，２０１，４０１              制御部
１０９                              通常画像記憶部
１１０                              少量画像記憶部
１１１                              画面構成情報記憶部
１２０                              ＲＡＭ
１３０                              入力部
１３１                              ＬＣＤコントローラ
１３２                              ＬＣＤ
１３３，１３６，２０３，４０６      通信部
１３４                              電源部
２０４                              操作情報保持部
４０４                              消費可能電力記憶部
４０５                              床面積記憶部
４０７                              インターフェイス部
４０８                              入力部
４０９                              表示部
４１０                              スピーカ
ＢＬ                                バスライン
【図１】
2013111337.tif 000003
【図２】
2013111337.tif 000004
【図３】
2013111337.tif 000005
【図４】
2013111337.tif 000006
【図５】
2013111337.tif 000007
【図６】
2013111337.tif 000008
【図７】
2013111337.tif 000009
【図８】
2013111337.tif 000010
【図９】
2013111337.tif 000011
【図１０】
2013111337.tif 000012
【図１１】
2013111337.tif 000013
【手続補正書】
【提出日】平成26年4月30日(2014.4.30)
【手続補正１】
【補正対象書類名】特許請求の範囲
【補正対象項目名】全文
【補正方法】変更
【補正の内容】
【特許請求の範囲】
【請求項１】
制御対象機器を制御するための操作を受け付け、前記受け付けた操作に応じた制御情報を前記制御対象機器に送信する制御装置であって、
制御用画面を表示する表示部と、
前記表示部に表示される制御用画面を形成する画像要素の画像情報である第１画像情報を記憶する情報記憶部と、
前記画像要素の画像情報であり、且つ、前記情報記憶部に記憶された画像情報よりも情報量の少ない第２画像情報を記憶する少量情報記憶部と、
この制御装置の動作モードを、所定の消費電力で動作する第１動作モードと、前記第１動作モードよりも消費電力の少ない第２動作モードとの何れかに設定する動作モード設定部と、
前記動作モード設定部が第１動作モードを設定したときに、前記情報記憶部に記憶されている第１画像情報を読み出して複数の画像要素から構成される制御用画面を生成し、前記動作モード設定部が第２動作モードを設定したときに、前記少量情報記憶部に記憶されている第２画像情報を読み出して複数の画像要素から構成される制御用画面を生成し、生成した制御用画面を前記表示部に表示する画面生成部と、
を備える制御装置。
【請求項２】
前記動作モード設定部は、前記制御対象機器で消費すると予測される消費電力と、消費可能な電力として前記制御対象機器に割り当てられている消費可能電力と、の比較結果に基づいて前記動作モードを設定するためのコマンドを受信し、その受信したコマンドに応じて、前記動作モードを設定する、
請求項１に記載の制御装置。
【請求項３】
前記動作モード設定部で設定された前記動作モードが前記第１動作モードと前記第２動作モードとのどちらの場合でも、前記受け付けた操作に応じた前記制御情報を前記制御対象機器に送信する制御情報送信部、
を備える請求項１または２に記載の制御装置。
【請求項４】
前記動作モード設定部が前記第１動作モードと前記第２動作モードとの一方を他方に切り換える設定を行ったときに、前記画面生成部は、切り換え直前に前記表示部に表示されていた制御用画面を構成する画像要素に対応する画像情報であって、切り換え後の動作モードに対応するものを読み出して制御用画面を生成し、前記表示部に表示する、
請求項１から３のいずれか一項に記載の制御装置。
【請求項５】
前記動作モード設定部が前記第１動作モードから前記第２動作モードに切り換える設定を行ったときに、前記情報記憶部に供給されている電力を遮断する一方、遮断されていた前記少量情報記憶部への前記電力の供給を開始する電源制御部、
を備える請求項１から４のいずれか一項に記載の制御装置。
【請求項６】
前記動作モード設定部は、
前記制御装置で消費される電力を供給する蓄電池の出力電圧を検出し、前記検出した出力電圧と所定値とを比較することで、前記所定値未満の前記出力電圧を検出した場合に、前記第１動作モードから前記第２動作モードに切り換える設定を行う、
請求項１から５のいずれか一項に記載の制御装置。
【請求項７】
制御用画面を表示する表示部を有し、制御対象機器を制御するための操作を受け付け、前記受け付けた操作に応じた制御情報を前記制御対象機器に送信する制御装置が、動作モードを、所定の消費電力で動作する第１動作モードと、前記第１動作モードよりも消費電力の少ない第２動作モードとの何れかに設定する動作モード設定ステップと、
前記制御装置が、前記動作モード設定ステップにより第１動作モードが設定されたときに、制御用画面を形成する画像要素の画像情報である第１画像情報を読み出して前記制御用画面を生成し、前記動作モード設定ステップにより第２動作モードが設定されたときに、前記画面要素の画像情報であり、且つ、前記第１画像情報よりも情報量の少ない第２画像情報を読み出して前記制御用画面を生成し、生成した制御用画面を前記表示部に表示する画面生成ステップと、
を備える制御方法。
【請求項８】
制御用画面を表示する表示部を有し、制御対象機器を制御するための操作を受け付け、前記受け付けた操作に応じた制御情報を制御対象機器に送信する制御装置を制御するコンピュータに、
この制御装置の動作モードを、所定の消費電力で動作する第１動作モードと、前記第１動作モードよりも消費電力の少ない第２動作モードとの何れかの動作モードに設定する動作モード設定機能、
前記動作モード設定機能により第１動作モードが設定されたときに、制御用画面を形成する画像要素の画像情報である第１画像情報を読み出して前記制御用画面を生成し、前記動作モード設定機能により第２動作モードが設定されたときに、前記画像要素の画像情報であり、且つ、前記第１画像情報よりも情報量の少ない第２画像情報を読み出して前記制御用画面を生成し、生成した制御用画面を前記表示部に表示する画面生成機能、
を実現させるプログラム。
【国際調査報告】
2013111337.tif 000014
2013111337.tif 000015